(57)【要約】【課題】十分な指圧効果を得るとともに、汎用性を飛躍的に高める。また、低コスト性，小型コンパクト性，設置性，保管性及び携帯性を高める。【解決手段】人体Ｈの腰Ｈａ又は背中Ｈｂを指圧する指圧器１を構成するに際して、椅子Ｃの背凭部Ｃｒに重ねて設置できるように板状に形成し、かつ前面に着脱面部３を設けたベース部２と、着脱面部３の任意の位置に着脱する被着脱面部４を裏面に設け、かつ表側に指圧用突起部５ｐ，５ｐを設けた一又は二以上の指圧用駒部５，５を備える。この場合、指圧用駒部５，５は、先端に平面部（又は曲面部）５ｓを有する円錐状盤１２を径方向に二分割して形成することができる。【選択図】図１
2004254804.tif 000002
【特許請求の範囲】
【請求項１】
人体の腰又は背中を指圧する指圧器において、椅子の背凭部に重ねて設置できるように板状に形成し、かつ前面に着脱面部を設けたベース部と、前記着脱面部の任意の位置に着脱する被着脱面部を裏面に設け、かつ表側に指圧用突起部を設けた一又は二以上の指圧用駒部を備えることを特徴とする指圧器。
【請求項２】
前記着脱面部と前記被着脱面部の着脱は、面ファスナーを用いることを特徴とする請求項１記載の指圧器。
【請求項３】
前記ベース部には、当該ベース部を前記椅子に対して固定するための固定部を備えることを特徴とする請求項１記載の指圧器。
【請求項４】
前記指圧用駒部は、先端に平面部又は曲面部を有する円錐状盤を径方向に二分割して形成することを特徴とする請求項１記載の指圧器。
【発明の詳細な説明】
【０００１】
【発明の属する技術分野】
本発明は、人体の腰や背中を指圧する際に用いて好適な指圧器に関する。
【０００２】
【従来の技術】
従来、人体の一部、例えば、足裏，肩等を人手を借りることなく手軽に指圧することができるようにした指圧器は各種知られている。このような指圧器において、特に、腰や背中を指圧する指圧器としては、特開２００１−１０４４２６号公報で開示される足踏み式マッサージ椅子が知られている。
【０００３】
この足踏み式マッサージ椅子は、上面に小突起群を設けた一対のペダルを基台の前部に進退かつ傾動自在に併設し、ペダルの運動と連動して進退する主動部材を基台上に併設し、主動部材と連動して進退する従動部材を基台上に設けて足踏み式起動部を構成し、背凭れ杆を座席の下方まで延設しかつ回転可能に支持し、背凭れ杆に設けた腕杆と従動部材に設けた連杆を連結して足踏み式起動部を椅子本体に取り付けたものであり、これにより、背凭れ杆に装着した多数個の突起体を動かして腰や背中を揉みほぐすことができる。
【特許文献１】
特開２００１−１０４４２６号公報
【０００４】
【発明が解決しようとする課題】
ところで、人体には指圧の容易な部位と容易でない部位がある。例えば、足裏や肩は、足踏器や肩叩器等を用いて容易に指圧できるとともに、ツボ等の目的の部位を比較的正確に指圧できるが、腰や背中は、手が届きにくいため、ツボ等の目的の部位を容易に指圧できない。したがって、上述した足踏み式マッサージ椅子をはじめ、腰や背中を指圧するための従来の指圧器は、次のような不具合があった。
【０００５】
第一に、指圧用の突起は、その位置が固定されるため、人体に対する最適な位置調整、特に、ツボ等に対する微妙な位置調整を行うことができない。したがって、十分な指圧効果を得れないとともに、必要な部位以外の部位（骨等）に突起が当たり、痛さだけが残るなど、却って逆効果となる。
【０００６】
第二に、マッサージチュア等のように専用のマッサージ器として構成されるため、仕事用の事務椅子や自動車シート等の各種椅子に容易に着脱して使用できない。結局、使用したいときに自由かつ手軽に利用できず、汎用性に欠ける。しかも、構成や形状が複雑になるため、低コスト性に劣るとともに、大型化する傾向があるため、設置性，保管性及び携帯性にも劣る。
【０００７】
本発明は、このような従来の技術に存在する課題を解決したものであり、ツボ等に対する微妙な位置調整を容易に行えるため、不要な部位（骨等）に突起が当たる不具合を回避しかつ十分な指圧効果を得れるとともに、汎用性を飛躍的に高め、しかも、低コスト性，小型コンパクト性，設置性，保管性及び携帯性に優れる指圧器の提供を目的とする。
【０００８】
【課題を解決するための手段及び実施の形態】
本発明は、人体Ｈの腰Ｈａ又は背中Ｈｂを指圧する指圧器１を構成するに際して、椅子Ｃの背凭部Ｃｒに重ねて設置できるように板状に形成し、かつ前面に着脱面部３を設けたベース部２と、着脱面部３の任意の位置に着脱する被着脱面部４を裏面に設け、かつ表側に指圧用突起部５ｐ，５ｐを設けた一又は二以上の指圧用駒部５，５を備えることを特徴とする。
【０００９】
この場合、好適な実施の形態により、着脱面部３と被着脱面部４の着脱には、面ファスナー３ｆ，４ｆを用いることができる。また、ベース部２には、当該ベース部２を椅子Ｃに対して固定するための固定部１１ｘ，１１ｙを設けることができる。さらに、指圧用駒部５，５は、先端に平面部（又は曲面部）５ｓを有する円錐状盤１２を径方向に二分割して形成することができる。
【００１０】
【実施例】
次に、本発明に係る好適な実施例を挙げ、図面に基づき詳細に説明する。
【００１１】
まず、本実施例に係る指圧器１の構成について、図１〜図４を参照して説明する。
【００１２】
指圧器１は、大別して、椅子の背凭部に重ねて設置できるように板状に形成したベース部２と、表側に指圧用突起部５ｐ，５ｐを設けた一対の指圧用駒部５，５を備える。
【００１３】
ベース部２は、図１及び図２に示すように、一定の厚さを有する板材により形成したベース基部２ｓと、このベース基部２ｓの前面に貼付けた着脱面部３を備える。実施例のベース基部２ｓは、木質板材を略正方形に切断し、角部を面取りして形成した。なお、全体形状は、形状的デザインを考慮して任意に選定できる。また、木質板材としては、人体から発散した水分を吸収し、保温性の面でも良好な杉材を用いることが望ましい。勿論、プラスチック等の他の材料の使用を排除するものではない。さらに、必要により表面には、透明又はカラーのコーティング，模様又はイラスト等を施すことができるとともに、軽量化及び通気性確保の観点から一又は二以上の通気孔を設けることもできる。また、ベース基部２ｓは、左右に二分割するととに、ヒンジにより結合し、二つ折に折り畳めるように構成してもよい。
【００１４】
一方、着脱面部３は、一対の面ファスナーにおける一方の面ファスナー３ｆを用いる。面ファスナー３ｆは、ベース部２の前面におけるできるだけ広いエリアを確保して貼付けることが望ましい。
【００１５】
また、ベース基部２ｓの後面における下端位置には、左右一対の差込脚部２１，２１をヒンジ部２２，２２を介してそれぞれ取付ける。この差込脚部２１，２１は、後述する自動車シート（椅子）Ｃ（図６）における背凭部Ｃｒと着座部Ｃｓ間の隙間Ｓｃに挿入するものであり、この差込脚部２１，２１は、ベース部２を自動車シートＣに固定することができる固定部１１ｘを構成する。この差込脚部２１，２１は、図２に示すように、ベース基部２ｓに対して後方へ突出させることができるとともに、仮想線で示すように、ベース基部２ｓの裏面に重なるように折り畳むことができる。この場合、差込脚部２１，２１は、ヒンジ部２２，２２を用いることなくベース基部２ｓに直接固定してもよい。
【００１６】
なお、他の固定部１１ｙとして、図１に仮想線で示す紐２９を用いてもよい。この場合、ベース基部２ｓの左右に、それぞれ複数の通し孔２５，２６，２７…を設け、この通し孔２５，２６，２７…に紐２９…を通すとともに、紐２９…の両端側をストッパ３０…に通すことにより構成できる。この固定部１１ｙは、紐２９…を事務椅子等の各種椅子に結び付けることにより、ベース部２を椅子に固定することができる。なお、図１は、右側の固定部１１ｙのみを表示し、左側の固定部１１ｙの表示を省略したが、左側の固定部１１ｙも右側の固定部１１ｙと同一に構成する。このような固定部１１ｘ，１１ｙを設けることにより、ベース部２を椅子に対して安定に設置できる。
【００１７】
他方、指圧用駒部５，５は、先端に平面部（又は曲面部）５ｓを有する円錐状盤１２を、中心を通る切断面Ｋｃにより径方向に二分割して形成する。これにより、表側に指圧用突起部５ｐ，５ｐを有する一対の指圧用駒部５，５が同時に形成される。なお、円錐状盤１２は、ベース基部２ｓと同様の材質により形成することができる。このような円錐状盤１２を利用すれば、製作が容易となり、かつ一側から他側に傾斜する非対称の傾斜面を有する指圧に効果的な指圧用駒部５…を得ることができる。また、各指圧用駒部５，５における切断面Ｋｃに対して反対側の部位は、一部を切断面Ｋｃに対して平行となるスライス面Ｋｓによりカットする。これにより、切断面Ｋｃとスライス面Ｋｓを手で持つことにより指圧用駒部５の着脱を行うことができる。さらに、必要により表面には、透明又はカラーのコーティング，模様又はイラスト等を施すことができる。
【００１８】
一方、指圧用駒部５の裏面には、被着脱面部４を設ける。この被着脱面部４は、一対の面ファスナーにおける他方の面ファスナー４ｆを貼付けて構成する。これにより、指圧用駒部５の被着脱面部４を、ベース部２の着脱面部３に対して、任意の位置に着脱することができる。
【００１９】
次に、本実施例に係る指圧器１の使用方法について、図１〜図６を参照して説明する。
【００２０】
まず、図６に示すように、指圧器１は、ベース部２の差込脚部２１，２１（固定部１１ｘ）を自動車シートＣにおける背凭部Ｃｒと着座部Ｃｓ間の隙間Ｓｃに挿入するとともに、ベース部２が自動車シート（椅子）Ｃの背凭部Ｃｒに重なるように設置する。そして、利用者は、自動車シートＣに座るとともに、用意した一対の指圧用駒部５，５を手で持ち、自分の腰に持って行くことにより、ツボ等の最適と思われる部位に突起部５ｐ，５ｐを当てる。この状態で人体（胴体）を後方へ変位させれば、指圧用駒部５，５の被着脱面部４，４が、ベース部２の着脱面部３に付着し、指圧用駒部５，５をベース部２に装着できる。これにより、一対の指圧用駒部５，５は、利用者の腰（又は背中）に対する最適な位置に位置決めされ、かつベース部２上に固定される。なお、自動車シートＣに装着する場合を示したが、前述した固定部１１ｙを使用すれば、同様に、事務椅子等の各種椅子に装着することができる。
【００２１】
ところで、各指圧用駒部５，５（被着脱面部４…）は、図２に示す矢印Ｆｃのように、ベース部２（着脱面部３）の任意の位置に着脱することができるとともに、指圧用駒部５の突起部５ｐは、図４に示すように、なだらかに傾斜する部位５ｐｉと急峻に立上がる部位５ｐｊが存在するため、その装着位置や装着角度（向き）によって、指圧感覚や指圧効果を異ならせることができる。例えば、図５に仮想線で示す指圧用駒部５ｓ，５ｓのように、なだらかに傾斜する部位５ｐｉと５ｐｉ同士を対向させるように配すれば、比較的ソフトな感覚を得ることができ、標準的に用いることができる。これに対して図５に実線で示す指圧用駒部５ｕ，５ｕのように、急峻に立上がる部位５ｐｊと５ｐｊ同士を対向させるように配すれば、比較的ハードな感覚を得ることができ、コリのひどいときなどに用いることができる。さらに、図５に仮想線で示す指圧用駒部５ｍ，５ｍのように、斜めに配すれば、これらの中間的な感覚を得ることができる。このように、利用者は、指圧用駒部５，５を自分に合った最適な位置に設定できるとともに、装着角度（向き）の設定により、自分に最もフィットした指圧感覚や指圧効果を得れるように設定することができる。
【００２２】
よって、このような本実施例に係る指圧器１を用いれば、ツボ等に対する微妙な位置調整を容易に行えるため、人体Ｈの不要な部位に指圧用突起部５ｐ…が当たる不具合が回避されるとともに、十分な指圧効果を得ることができる。また、事務椅子や自動車シートＣ等の各種椅子に容易に着脱できるため、使用したいときに自由かつ手軽に使用でき、汎用性に優れる。特に、座っている時間が長い仕事をしている場合などの腰の疲労感を効果的に低減できる。しかも、構成及び形状がシンプルなため、低コスト性，小型コンパクト性，設置性，保管性及び携帯性にも優れる。
【００２３】
以上、実施例について詳細に説明したが、本発明はこのような実施例に限定されるものではなく、細部の構成，形状，材料，数量等において、本発明の要旨を逸脱しない範囲で任意に変更，追加，削除することができる。例えば、着脱面部３と被着脱面部４の着脱は、面ファスナー３ｆと４ｆを用いた場合を示したが、マグネットと金属板のように他の着脱手段を用いてもよい。なお、固定部１１ｘ，１１ｙは、ベース部２を椅子Ｃに対して固定するものであるが、このような例示以外の他の手段を用いることができるとともに、必要により人体Ｈに固定する形式であってもよい。また、指圧用駒部５，５の形状も、例示以外の他の形状により実施することができる。さらに、必要により指圧用駒部５…を含む指圧器１の全体を袋状のカバーで覆ってもよい。
【００２４】
【発明の効果】
このように、本発明に係る指圧器は、椅子の背凭部に重ねて設置できるように板状に形成し、かつ前面に着脱面部を設けたベース部と、着脱面部の任意の位置に着脱する被着脱面部を裏面に設け、かつ表側に指圧用突起部を設けた一又は二以上の指圧用駒部を備えるため、次のような顕著な効果を奏する。
【００２５】
（１）  ツボ等に対する微妙な位置調整を容易に行えるため、人体の不要な部位に指圧用突起部が当たる不具合を回避できるとともに、十分な指圧効果を得ることができる。
【００２６】
（２）  事務椅子や自動車シート等の各種椅子に容易に着脱できるため、使用したいときに自由かつ手軽に使用でき、汎用性に優れる。特に、座っている時間が長い仕事をしている場合などの腰の疲労感を効果的に低減できる。
【００２７】
（３）  構成及び形状がシンプルなため、低コスト性，小型コンパクト性，設置性，保管性及び携帯性に優れる。
【００２８】
（４）  好適な実施の形態により、ベース部に、このベース部を椅子に固定する固定部を設ければ、椅子に対して安定に設置することができる。
【００２９】
（５）  好適な実施の形態により、指圧用駒部を、先端に平面部（又は曲面部）を有する円錐状盤を径方向に二分割して形成すれば、製作が容易となり、かつ指圧に効果的な一対の指圧用駒部を得ることができる。また、指圧用駒部を自分に合った最適な位置に設定するとともに、装着角度（向き）により、自分に最もフィットした指圧感覚や指圧効果を得れるように設定することができる。
【図面の簡単な説明】
【図１】本発明の好適な実施例に係る指圧器の正面図、
【図２】同指圧器の側面図、
【図３】同指圧器に用いる指圧用駒部（円錐状盤）の正面図、
【図４】同指圧器に用いる指圧用駒部の側面図、
【図５】同指圧器の作用説明図、
【図６】同指圧器の使用説明図、
【符号の説明】
１      指圧器
２      ベース部
３      着脱面部
３ｆ    面ファスナー
４      被着脱面部
４ｆ    面ファスナー
５…    指圧用駒部
５ｐ…  指圧用突起部
５ｓ…  平面部（又は曲面部）
１１ｘ  固定部
１１ｙ  固定部
１２    円錐状盤
Ｈ      人体
Ｈａ    腰
Ｈｂ    背中
Ｃ      椅子
Ｃｒ    背凭部
【図１】
2004254804.tif 000003
【図２】
2004254804.tif 000004
【図３】
2004254804.tif 000005
【図４】
2004254804.tif 000006
【図５】
2004254804.tif 000007
【図６】
2004254804.tif 000008